(57)【要約】  本発明の主な主題は、ＳＯＥＣ／ＳＯＦＣ型固体酸化物を有するスタック（２０）の高温における気密な結合のための結合システム（３０）であり、それが：入口／出口管（１２）との流体連通を確立するための開口部を包含する、ガス入口／出口管（１２）に取り付けられることを意図される、中空のねじ型コネクタ（３１）；入口／出口管（５２）との流体連通を確立するための開口部を包含する、スタック（２０）のガス入口／出口管（５２）に取り付けられることを意図される、平滑な中空コネクタ（３３）（平滑コネクタ（３３）およびねじ型コネクタ（３１）は、流体連通を確立するための開口部を包含する）；ねじ型コネクタ（３１）と係合してボルト／ナットシステムを形成しかつ平滑コネクタ（３３）に対して摺動する、ねじ型ナット（３２）（第１のねじ型部分、および平滑コネクタ（３３）と摺動接触する第２の平滑部分を含む）を包含することを特徴とする。
2020514538.tif 000002
【特許請求の範囲】
【請求項１】
ＳＯＥＣ／ＳＯＦＣ型固体酸化物を有するスタック（２０）の高温における気密な結合のためのシステム（３０）であって、
−ガス入口／出口管（１２）に取り付けられることを意図され、ねじ型コネクタと言われ、その外側表面において少なくとも部分的にねじ型（Ｆ１）である中空コネクタ（３１）であって、前記ガス入口／出口管（１２）との流体連通を確立するための開口部（４１）を含む前記ねじ型コネクタ（３１）、
−ＳＯＥＣ／ＳＯＦＣ型固体酸化物を有する前記スタック（２０）のガス入口／出口管（５２）に取り付けられることを意図され、平滑コネクタと言われ、少なくとも部分的に平滑である外側表面（Ｌ３）を有する、中空コネクタ（３３）であって、前記スタック（２０）の前記ガス入口／出口管（５２）との流体連通を確立するための開口部（４３）を含み、前記平滑コネクタ（３３）および前記ねじ型コネクタ（３１）は互いとの流体連通を確立するための開口部（４４、４５）をそれぞれが含む、前記平滑コネクタ（３３）、
−前記ねじ型コネクタ（３１）と係合してボルト／ナットシステムを形成でき、かつ前記平滑コネクタ（３３）に対して摺動可能なねじ型ナット（３２）であって、その内側表面における前記ねじ型コネクタ（３１）の前記ねじ筋（Ｆ１）と係合する第１のねじ型部分（Ｓ１）と、前記その平滑な外側表面（Ｌ３）における前記平滑コネクタ（３３）と摺動接触する第２の平滑部分（Ｓ２）とを含む前記ねじ型ナット（３２）、
を含むことを特徴とする、
ＳＯＥＣ／ＳＯＦＣ型固体酸化物を有するスタック（２０）の高温における気密な結合のためのシステム（３０）。
【請求項２】
前記平滑コネクタ（３３）が、前記その平滑な外側表面（Ｌ３）に対して張り出したリム部（６３）を含み、前記ねじ型ナット（３２）が、前記その第１のねじ型部分（Ｓ１）に対して張り出しかつ前記第２の平滑部分（Ｓ２）を含むリム部（６２）を含み、前記平滑コネクタ（３３）の前記リム部（６３）および前記ねじ型ナット（３２）の前記リム部（６２）が互いと接触し、前記平滑コネクタ（３３）に対する前記ねじ型ナット（３２）の前記摺動を止めることができることとを特徴とする、
請求項１に記載のシステム。
【請求項３】
前記平滑コネクタ（３３）の前記リム部（６３）と前記ねじ型ナット（３２）の前記リム部（６２）との間に設置されたガスケット（Ｊ２）、特にマイカガスケットを含むことを特徴とする、
請求項２に記載のシステム。
【請求項４】
前記平滑コネクタ（３３）、前記ねじ型ナット（３２）、および前記ねじ型コネクタ（３１）が特にインコネル６００型のニッケル基超合金から作られ、および／または特に３１６Ｌステンレス鋼型のオーステナイト系ステンレス鋼から作られることを特徴とする、
請求項１〜３のいずれか１項に記載のシステム。
【請求項５】
前記平滑コネクタ（３３）が、ＳＯＥＣ／ＳＯＦＣ型固体酸化物を有する前記スタック（２０）のガス入口／出口管（５２）へのその取り付けのための中ぐり（７３）を含み、前記ねじ型コネクタ（３１）が、ガス入口／出口管（１２）へのその取り付けのための中ぐり（７１）を含むことを特徴とする、
請求項１〜４のいずれか１項に記載のシステム。
【請求項６】
前記ねじ型コネクタ（３１）と前記平滑コネクタ（３３）との間に設置されたガスケット（Ｊ１）、特にマイカガスケットを含むことを特徴とする、
請求項１〜５のいずれか１項に記載のシステム。
【請求項７】
前記ねじ型ナット（３２）の呼び直径がＭ２０からＭ３０の範囲であることを特徴とする、
請求項１〜６のいずれか１項に記載のシステム。
【請求項８】
前記ねじ型コネクタ（３１）が１５から３０ｍｍの範囲の高さ（Ｈ１）を有し、かつ２０から３０ｍｍの範囲の直径（Ｄ１）を有することを特徴とする、
請求項１〜７のいずれか１項に記載のシステム。
【請求項９】
前記平滑コネクタ（３３）が４５から７０ｍｍの範囲の高さ（Ｈ３）を有し、かつ３０ｍｍという最大直径（Ｄ３）を有することを特徴とする、
請求項１〜８のいずれか１項に記載のシステム。
【請求項１０】
前記ねじ型ナット（３２）の前記第１のねじ型部分（Ｓ１）および／または前記ねじ型コネクタ（３１）の前記ねじ筋（Ｆ１）が、高温に耐えることが可能なアンチシーズ剤によってコーティングされることを特徴とする、
請求項１〜９のいずれか１項に記載のシステム。
【請求項１１】
−高温において動作するＳＯＥＣ／ＳＯＦＣ型固体酸化物を有するスタック（２０）、
−前記ガスの供給および放出のための前記スタック（２０）が結合される炉（１０）、
−前記スタック（２０）を前記炉（１０）と結合するための、請求項１〜１０のいずれか１項に記載の結合システム（３０）、
を含むことを特徴とする、
接合体（７０）。
【請求項１２】
前記ねじ型コネクタ（３１）が前記炉（１０）のガス入口／出口管（１２）に特にＴＩＧ型溶接によって溶接されることを特徴とする、
請求項１１に記載の接合体。
【請求項１３】
前記ねじ型コネクタ（３１）が、炉の前記床（１１）に取り付けられた支持プレート（４０）に特にＴＩＧ型溶接および／またはアーク溶接によって溶接され、前記炉（１０）の前記ガス入口／出口管（１２）が前記支持プレート（４０）を通り抜けることを特徴とする、
請求項１１または１２に記載の接合体。
【請求項１４】
前記平滑コネクタ（３３）が、ＳＯＥＣ／ＳＯＦＣ型固体酸化物を有する前記スタック（２０）のガス入口／出口管（５２）に特にＴＩＧ型溶接によって溶接されることを特徴とする、
請求項１１〜１３のいずれか１項に記載の接合体。
【請求項１５】
前記平滑コネクタ（３３）が、前記スタック（２０）の下側終端プレート（２５）に特にＴＩＧ型溶接および／またはアーク溶接によって溶接され、前記スタック（２０）の前記ガス入口／出口管（５２）が前記下側終端プレート（２５）を通り抜けることを特徴とする、
請求項１１〜１４のいずれか１項に記載の接合体。
【発明の詳細な説明】
【技術分野】
【０００１】
本発明は、水の高温電解（ＨＴＥ）の一般的な分野、特に高温水蒸気電解（ＨＴＳＥ）、二酸化炭素（ＣＯ２）電解、またはさらには二酸化炭素（ＣＯ２）との水の高温共電解（ＨＴＥ）に関する。
【０００２】
より具体的には、本発明は慣習的に頭文字語ＳＯＥＣ（固体酸化物電解セル）によって表される高温固体酸化物電解槽の分野に関する。
【０００３】
それは慣習的に頭文字語ＳＯＦＣ（固体酸化物燃料セル）によって表される高温固体酸化物燃料セルの分野にもまた関する。
【０００４】
それゆえに、より一般的に言って、本発明は高温において動作するＳＯＥＣ／ＳＯＦＣ型の固体酸化物スタックの分野に関する。
【０００５】
より具体的には、本発明は、ＳＯＥＣ／ＳＯＦＣ型固体酸化物を有するスタックの高温における気密な結合のためのシステムに関し、そして、ＳＯＥＣ／ＳＯＦＣ型固体酸化物を有するスタックとかかる結合システムによって前記スタックに結合された炉とを含む接合体にも関する。
【背景技術】
【０００６】
ＳＯＥＣ型高温固体酸化物電解槽の範囲は、電流を用いることによって同じ電気化学装置内において水蒸気（Ｈ２Ｏ）を二水素（Ｈ２）および二酸素（Ｏ２）に変換すること、ならびに／または二酸化炭素（ＣＯ２）を一酸化炭素（ＣＯ）および二酸素（Ｏ２）に変換することを包摂する。ＳＯＦＣ型高温固体酸化物燃料セルの範囲内では、この動作は逆転させられて、二水素（Ｈ２）および二酸素（Ｏ２）、一般的に空気および天然ガス、すなわちメタン（ＣＨ４）の供給下において電流および熱を生成する。単純の目的のために、以後に提供される記載は水の電解を行うＳＯＥＣ型高温固体酸化物電解槽の機能を優先する。しかしながら、この機能は二酸化炭素（ＣＯ２）の電解に、またはさらには二酸化炭素（ＣＯ２）との水の高温共電解（ＨＴＥ）に適用可能である。その上、この機能はＳＯＦＣ型高温固体酸化物燃料セルのケースに移し替え可能である。
【０００７】
有利には、水電解は高温において、典型的には６００および１，０００℃の間において行われる。なぜなら、液体の水よりも水蒸気を電解することが有利であるからであり、反応のために要求されるエネルギーの一部は電気よりも高価でない熱によって供給され得るからである。
【０００８】
水の高温電解（ＨＴＥ）が起こるためには、ＳＯＥＣ型高温固体酸化物電解槽が、互いの上に重ねられたアノード／電解質／カソード３層によって形成された固体酸化物電解セルまたは電気化学セルとバイポーラプレートまたはインターコネクトともまた呼ばれる金属合金インターコネクトプレートとをそれぞれが含む、基本モチーフ同士のスタックによって形成される。各電気化学セルは２つのインターコネクトプレート間に締結される。それゆえに、ＳＯＥＣ型高温固体酸化物電解槽は電気化学セルとインターコネクトとの交互のスタックである。ＳＯＦＣ型高温固体酸化物燃料セルは同じ型の基本モチーフ同士のスタックによって形成される。この高温テクノロジーは可逆的であるので、同じスタックが電解モードで動作し、水および電気から水素および酸素を生成し得、または燃料セルモードでは水素および酸素から電気を生成し得る。
【０００９】
各電気化学セルは電解質／電極接合体に対応しており、これは一般的に多層のセラミック接合体であり、その電解質は中心のイオン伝導体層によって形成され、この層は固体、高密度、かつ気密であり、電極を形成する２つの多孔質層間に締結される。追加の層が存在し得、しかしながら、その目的は本明細書において上で記載されている層の１つ以上を改善することのみであるということに注意すべきである。
【００１０】
電気および流体インターコネクト装置は電子伝導体であり、これらは、電気的観点からは、基本モチーフのスタック中の各電気化学セルの接続を保証し、１つの面とセルのカソードとの間および別の面と次のセルのアノードとの間の電気的接触を請け負い、流体的な観点からは、セルのそれぞれの生成物を同様に組み合わせる。それゆえに、インターコネクトは、電流を供給および収集する機能を保証し、分配および／または収集のためのガスの循環のためのコンパートメントを画定する。
【００１１】
より具体的には、インターコネクトの主な目的は、電流の通りおよび各セルの周囲のガスの循環（すなわち：ＨＴＥでは、注入される水蒸気、抜き出される水素および酸素；ＳＯＦＣでは、注入される水素および抜き出される水を包含する空気および燃料）を保証することと、それぞれセルのアノード側およびカソード側に位置するガス循環コンパートメントである２つの隣接するセルのアノードおよびカソードコンパートメントを分離することとである。
【００１２】
特に、ＳＯＥＣ型高温固体酸化物電解槽では、カソードコンパートメントは電気化学反応によって生成する水素および水蒸気を含み、一方で、アノードコンパートメントは、存在する場合にはキャリアガスと電気化学反応の別の生成物の酸素とを含む。ＳＯＦＣ型高温固体酸化物燃料セルでは、アノードコンパートメントは燃料を含み、一方で、カソードコンパートメントは酸化剤を含む。
【００１３】
水蒸気の高温電解（ＨＴＥ）を実現するためには、水蒸気（Ｈ２Ｏ）がカソードコンパートメントに注入される。セルにかけられる電流の作用下において、水蒸気の形態の水分子の解離が水素電極（カソード）と電解質との間の界面において起こる：この解離は二水素ガス（Ｈ２）および酸素イオン（Ｏ２−）を生成する。二水素（Ｈ２）は収集され、水素コンパートメントの出口において放出される。酸素イオン（Ｏ２−）は電解質中を移動し、電解質と酸素電極（アノード）との間の界面において二酸素（Ｏ２）へと再結合する。空気などのキャリアガスがアノードにおいて循環し得、それゆえにアノードにおいてガス状形態で発生する酸素を収集し得る。
【００１４】
固体酸化物燃料セル（ＳＯＦＣ）の動作を保証するためには、空気（酸素）が燃料セルのカソードコンパートメントに注入され、水素がアノードコンパートメントに注入される。空気中の酸素はＯ２−イオンへと解離するであろう。これらのイオンは電解質中をカソードからアノードに移動して、水素を酸化し、同時に電気を生成しながら水を形成するであろう。ＳＯＦＣでは、ＳＯＥＣ電解のように、水蒸気は二水素（Ｈ２）コンパートメントに位置する。極性のみが逆転させられる。
【００１５】
例示として、図１はＳＯＥＣ型高温固体酸化物電解槽の動作原理の図式的な像を示している。かかる電解槽の目的は、電気化学反応：
２Ｈ２Ｏ  →  ２Ｈ２  ＋  Ｏ２
に従って水蒸気を水素および酸素に変換することである。
【００１６】
この反応は電解槽のセルにおいて電気化学的に起こる。図１に図式的に示されているように、各個々の電解セル１は固体電解質３のどちらかの側に設置されたカソード２およびアノード４によって形成される。２つの電極（カソードおよびアノード）２および４は多孔質材料から作られた電子および／またはイオン伝導体であり、電解質３は気密、電子絶縁体、かつイオン伝導体である。電解質３は特にアニオン伝導体、より詳細にはＯ２−イオンのアニオン伝導体であり得、それゆえに、電解槽はプロトン電解質（Ｈ＋）と対比してアニオン電解槽と言われる。
【００１７】
電気化学反応は電子伝導体のそれぞれとイオン伝導体との間の界面において起こる。
【００１８】
カソード２において、半反応は次の通りである：
２Ｈ２Ｏ  ＋  ４ｅ−  →  ２Ｈ２  ＋  ２Ｏ２−
【００１９】
アノード４において、半反応は次の通りである：
２Ｏ２−  →  Ｏ２  ＋  ４ｅ−
【００２０】
２つの電極２および４の間に挿入された電解質３は、アノード４とカソード２との間に課された電位差によって作り出される電場の影響下におけるＯ２−イオンの移動の場である。
【００２１】
図１の括弧内に示されているように、カソード入口における水蒸気は水素Ｈ２によって付随され得、生成し出口において回収される水素は水蒸気によって付随され得る。類似に、点線によって示されているように、空気などのキャリアガスが入口において追加で注入されて、生成した酸素を取り除き得る。キャリアガスの注入は熱レギュレータとして作用する追加の役割を演ずる。
【００２２】
個々の電解槽または電解反応器は、カソード２、電解質３、およびアノード４を有する本明細書において上で記載されている基本セルと、電気、流体、および熱分配機能を果たす２つのインターコネクトとからなる。
【００２３】
生成する水素および酸素の流量を増大させるためには、いくつかの個々の電解セルを互いの上にスタックし、それらをインターコネクトによって分離することが公知である。接合体は２つの終端インターコネクトプレート間に配置され、これらは電解槽（電解反応器）の電源およびガス源を支持する。
【００２４】
それゆえに、ＳＯＥＣ型高温固体酸化物電解槽は、少なくとも１つの、一般的には互いの上にスタックされた複数の電解セルを含み、各基本セルは電解質、カソード、およびアノードによって形成され、電解質はアノードとカソードとの間に挿入される。
【００２５】
上で述べられているように、一般的に、１つ以上の電極と電気的接触する流体および電気インターコネクト装置は、電流を供給および収集する機能を果たし、ガスの循環のための１つ以上のコンパートメントを画定する。
【００２６】
それゆえに、いわゆるカソードコンパートメントの目的は電流および水蒸気を分配することであり、それと接触するカソードにおいて水素を回収することでもまたある。
【００２７】
いわゆるアノードコンパートメントの目的は電流を分配することであり、任意にキャリアガスの使用によって、それと接触するアノードにおいて生成する酸素を回収することでもまたある。
【００２８】
図２は従来技術のＳＯＥＣ型高温固体酸化物電解槽の基本モチーフの分解図像を示している。この電解槽は、インターコネクト５と交互にスタックされた固体酸化物（ＳＯＥＣ）型の複数の個々の電解セルＣ１、Ｃ２を含む。各セルＣ１、Ｃ２はカソード２．１、２．２およびアノード（セルＣ２のアノード４．２のみが示されている）からなり、これらの間に電解質（セルＣ２の電解質３．２のみが示されている）が配される。
【００２９】
インターコネクト５は金属合金から作られた構成要素であり、これはカソードコンパートメント５０とアノードコンパートメント５１との間の分離を保証し、それぞれ、インターコネクト５と隣接するカソード２．１との間およびインターコネクト５と隣接するアノード４．２との間に在る体積によって定められる。それはセルへのガスの分配をもまた保証する。各基本モチーフへの水蒸気の注入はカソードコンパートメント５０において起こる。カソード２．１、２．２において生成する水素および残る水蒸気の収集は、セルＣ１、Ｃ２の下流において、それによる水蒸気の解離後に、カソードコンパートメント５０において起こる。アノード４．２において生成する酸素の収集は、セルＣ１、Ｃ２の下流において、それによる水蒸気の解離後に、アノードコンパートメント５１において起こる。インターコネクト５は、隣接する電極との直接的接触によって、セルＣ１およびＣ２の間の、すなわちアノード４．２とカソード２．１との間の電流の通りを保証する。
【００３０】
高温固体酸化物電解槽（ＳＯＥＣ）の動作条件は固体酸化物燃料セル（ＳＯＦＣ）のものに非常に類似であるので、同じテクノロジー的な制約が当てはまる。
【００３１】
それゆえに、高温において動作するＳＯＥＣ／ＳＯＦＣ型固体酸化物を有するかかるスタックの正しい動作は、主に次の点が満たされることを要求する。
【００３２】
先ず、電気絶縁が２つの連続するインターコネクト間に存在しなければならず、これなしでは電気化学セルは短絡するであろう。かつ、良好な電気的接触および十分な接触表面もまたセルとインターコネクトとの間に存在しなければならない。可能な最も低いオーム抵抗がセルとインターコネクトとの間には求められる。
【００３３】
その上、気密性がアノードおよびカソードコンパートメントの間において得られなければならない。これなしには生成するガスは再結合し、縮減された収率と何よりもスタックを損傷するホットスポットの出現とをもたらすであろう。
【００３４】
最後に、収率の損失、異なる基本モチーフ同士の圧力の不均一性および温度の不均一性、またはさらには電気化学セルの許容できない劣化がないように、ガスの良好な分配が生成物の入口および収集両方において要求される。
【００３５】
高温において動作する高温電解スタック（ＳＯＥＣ）または燃料セル（ＳＯＦＣ）に入るガスおよび出るガスは、図３の参照によって示されているものなどの炉の適当な装置を用いて管理され得る。
【００３６】
それゆえに、炉１０は低温部品ＰＦおよび高温部品ＰＣを含み、後者は、ガス入口および出口ならびに高温電解（ＳＯＥＣ）または燃料セル（ＳＯＦＣ）スタック２０を管理するための炉床１１、環状管１２を含む。
【００３７】
通常、ガス供給および放出装置の結合は、低温部品ＰＦにおいて、特にダブルフェルール機械式継手、ＶＣＲ（登録商標）メタルガスケット面シール継手、溶接接続、または気密隔壁ユニオンによってなされる。
【００３８】
ダブルフェルール機械式継手のケースにおいては、２つのフェルールは気密および管締結機能を分離する。フロントフェルールは気密性を作り出し、一方で、バックフェルールはフロントフェルールが軸上を進むことを可能にし、管に有効なラジアル方向の締結をかける。この原理は、管の非常に良好な締結とガスの非常に良好な非漏出性とを得ることを可能にする。その上、それは装着することが容易であり、振動によって引き起こされる疲労への非常に高い抵抗を有する。溶接部が存在しないときには、それは分解することが容易である。しかしながら、その重大な欠点はその高温への抵抗不足であり、それによって、バックフェルール、フロントフェルール、および管は拡散溶接によって溶接されて一つになり得、連結部が分解されることを妨げる。
【００３９】
ＶＣＲ（登録商標）メタルガスケット面シール継手のケースにおいては、雄ナットまたは六角体を雌ナットによって締めるときにガスケットが２つのビードによって圧縮されるときに、気密性が得られる。この原理は、非常に良好な気密性、異なるガスケット（ニッケル、銅、ステンレス鋼など）を最も適当な構成に従って用いる可能性、およびそれらの操作の間にガスケット交換を有する容易な接合／分解を獲得する。しかしながら、この解決法は高温においては好適ではなく、その動作は約５３７℃という最大温度を可能にするのみである。
【００４０】
溶接接続のケースにおいては、管がＴＩＧ型の方法（タングステン不活性ガス）によってまたは円周溶接、すなわち回転式ノズルと結合されたＴＩＧ法によって互いに溶接されるという事実によって、完全な気密性が得られる。しかしながら、管の周りを溶接することによって縮減されたアクセス性の結果として、炉１０に搭載されたスタック２０の溶接操作は非常に複雑である。
【００４１】
最後に、センサー、プローブ、電気信号、および管を通すための気密隔壁ユニオンを用いる、約８７０℃の温度に耐え得る結合システムが存在する。これらの気密隔壁ユニオンは、パイピング、タンク、またはカバーの壁にねじ込まれなければならない３１６Ｌステンレス鋼ねじ型継手の形態をとる。その型式に依存して、これらのユニオンは異なる型、サイズ、および直径の１つ以上の貫通要素を受け入れる。それゆえに、これらのユニオンはいずれかの不連続性なしに要素の通り抜けを可能にし、２つの要素間に気密連結部が作られることは可能にしない。
【００４２】
炉１０の低温部品ＰＦにおけるガス供給および放出装置の結合は、重大な欠点を構成する。なぜなら、これらの低温部品ＰＦは炉１０の要素からは遠く、とりわけ熱交換器、絶縁体、およびコンデンサーなどの周辺機器によって邪魔されるからである。これは、それらを容易に分解および再利用できるようにすることを期待しながらも、高温部品ＰＣにおける接続の生成を優先することを意味する。
【００４３】
その上、入口のガスを予熱するための炉１０の筐体の使用は、炉１０のヒーターからの放射を用いるための約２．５から３ｍの長さの環状管１２の製造を要求し、これは管が狭い空間内の正しい場所に行き着くということを保証するための曲げ部の複雑さを増大させる。
【００４４】
その上、別の場所において動作させられるようにスタック２０を分解することを期待し、それゆえにそれに「プラグ＆プレイ」（ＰｎＰ）型の特徴を与える場合には、スタック２０を別の炉に設置するために、接続は先ず例えば弓のこを用いて機械的に破断されなければならず、新たな接続が調えられなければならない。これは取り扱い操作をかなり複雑にする。
【００４５】
最後に、かかるスタック２０は非常に脆く、場所を変えるときに行われるべき操作の数は可能な限り限定されなければならないということに注意すべきである。それゆえに、振動、衝撃、およびスタックをひっくり返すことをもまた防ぐことが特に重要である。
【００４６】
上述の結合解決法は上述の必要を叶えない。特に、ダブルフェルール機械式継手は高温においては溶接されて一つになる。溶接部は、溶接部の複雑さ（アクセスすることが困難）の結果として上述の問題を克服せず、それらは管が分解のために切断されることを防がない。
【００４７】
従来技術の結合解決法は、連結部を機械的に破断することなしには、スタック２０が別の炉１０への再接続のために炉１０から取り外されることを可能にせず、すなわち「プラグ＆プレイ」の特徴を獲得しない。これは、接合／分解の担当の作業者が退屈な曲げ、結合、および適合作業を果たすことを要求する。
【発明の概要】
【発明が解決しようとする課題】
【００４８】
本発明の目的は、少なくとも部分的に上述の必要を満足し、従来技術の製造物に関わる欠点を克服することである。
【００４９】
特に、それは、高温電解（ＳＯＥＣ）または燃料セル（ＳＯＦＣ）スタックの特定の設計の結合の生成に、より具体的には、高温部品の、すなわち炉の筐体内の、ガス入口および出口と真っ直ぐな、高温における気密な接続の生成に関し、例えば最高で約９００℃の温度に耐えられ、これは取り外しおよび再利用され得、それゆえにスタックに「プラグ＆プレイ」型の特徴を与える。
【課題を解決するための手段】
【００５０】
それゆえに、本発明は、その態様の１つに従うと、ＳＯＥＣ／ＳＯＦＣ型固体酸化物を有するスタックの高温における気密な結合のためのシステムに関し、それが：
−ガス入口／出口管に取り付けられることを意図される、ねじ型コネクタと言われる、その外側表面において少なくとも部分的にねじ型である中空コネクタ（ねじ型コネクタはガス入口／出口管との流体連通を確立するための開口部を含む）、
−ＳＯＥＣ／ＳＯＦＣ型固体酸化物を有するスタックのガス入口／出口管に取り付けられることを意図される、平滑コネクタと言われる、少なくとも部分的に平滑である外側表面を有する中空コネクタ（平滑コネクタは、スタックのガス入口／出口管との流体連通を確立するための開口部を含み、平滑コネクタおよびねじ型コネクタは、互いとの流体連通を確立するための開口部をそれぞれが含む）、
−ねじ型コネクタと係合してボルト／ナットシステムを形成でき、かつ平滑コネクタに対して摺動可能なねじ型ナット（ねじ型ナットは、その内側表面におけるねじ型コネクタのねじ筋と係合する第１のねじ型部分と、その平滑な外側表面における平滑コネクタと摺動接触する第２の平滑部分とを含む）、
を含むことを特徴とする。
【００５１】
本発明に従う結合システムはさらに次の特徴の１つ以上を含み得、これらは単独でまたは可能ないずれかの技術的組み合わせに従って考えられなければならない。
【００５２】
有利には、平滑コネクタは、その平滑な外側表面に対して張り出した張り出しリム部を含み得る。さらに、ねじ型ナットは、その第１のねじ型部分に対して張り出しかつ第２の平滑部分を含む張り出しリム部を含み得る。平滑コネクタのリム部およびねじ型ナットのリム部は互いと接触し、平滑コネクタに対するねじ型ナットの摺動を止めることができ得る。
【００５３】
さらに、本発明に従う結合システムは、平滑コネクタのリム部とねじ型ナットのリム部との間に設置されたガスケット、特にマイカガスケットを含み得る。かかるガスケットは特に電気絶縁にとって有用であり得る。
【００５４】
その上、平滑コネクタ、ねじ型ナット、およびねじ型コネクタは、特に好ましくはインコネル６００型の、もしくはさらにはインコネル６２５型のニッケル基超合金から作られ得、および／または特に３１６Ｌステンレス鋼型のオーステナイト系ステンレス鋼から作られ得る。
【００５５】
平滑コネクタは、ＳＯＥＣ／ＳＯＦＣ型固体酸化物を有するスタックのガス入口／出口管へのその取り付けのための中ぐりを含み得る。
【００５６】
類似に、ねじ型コネクタはガス入口／出口管へのその取り付けのための中ぐりを含み得る。
【００５７】
さらに、本発明に従う結合システムは、ねじ型コネクタと平滑コネクタとの間に設置されたガスケット、特にマイカガスケットを含み得る。ガスケットの厚さは０．１から１ｍｍの範囲であり得る。かかるガスケットは特にシステムの気密性にとって有用であり得る。有利には、高温および低温条件両方において気密性を作り出すように、ガスケットの厚さは０．３ｍｍ以下であり得る。好ましくは、この厚さは０．２５ｍｍ以下である。
【００５８】
ねじ型ナットおよび／またはねじ型コネクタの呼び直径はＭ２０からＭ３０の範囲であり得、好ましくはＭ２７に等しくあり得る。有利には、太いねじ筋および大きいピッチはねじ筋間の拡散溶接を防ぎ得、それゆえに確立された接続の分解を容易化し得る。
【００５９】
その上、ねじ型コネクタは１５から３０ｍｍの範囲の高さおよび２０から３０ｍｍの範囲の直径を有し得る。
【００６０】
その上、平滑コネクタは４５から７０ｍｍの範囲の高さおよび３０ｍｍという最大直径を有し得る。
【００６１】
さらにその上、ねじ型ナットの第１のねじ型部分および／またはねじ型コネクタのねじ筋は、高温に耐えることが可能なアンチシーズ剤によってコーティングされ得る。
【００６２】
本発明の別の目的は、その別の特徴に従うと、接合体であり、それが：
−高温において動作するＳＯＥＣ／ＳＯＦＣ型固体酸化物を有するスタック、
−ガスの供給および放出のためのスタックが結合される炉、
−スタックを炉と結合するための本明細書において上で定められている結合システム、
を含むことを特徴とする。
【００６３】
好ましくは、ねじ型コネクタは炉のガス入口／出口管に特にＴＩＧ型溶接によって溶接され得る。
【００６４】
さらにその上、ねじ型コネクタは、炉の床に取り付けられた支持プレートに特にＴＩＧ型溶接および／またはアーク溶接によって溶接され得、炉のガス入口／出口管は支持プレートを通り抜ける。
【００６５】
類似に、好ましくは、平滑コネクタはＳＯＥＣ／ＳＯＦＣ型固体酸化物を有するスタックのガス入口／出口管に特にＴＩＧ型溶接によって溶接され得る。
【００６６】
さらにその上、平滑コネクタはスタックの下側終端プレートに特にＴＩＧ型溶接および／またはアーク溶接によって溶接され得、スタックのガス入口／出口管は下側終端プレートを通り抜ける。
【００６７】
有利には、ねじ型ナットの第１のねじ型部分および／またはねじ型コネクタのねじ筋は、設置および締め前に高温アンチシーズペーストによってコーティングされ得、これは分解を容易化し、ねじ筋の拡散溶接を防ぎ得る。このアンチシーズペーストは耐食性の高温用の接合のアンチシーズ潤滑ペーストであり得、極端な温度または腐食性雰囲気に暴露される部品、例えばとりわけ：熱機関のねじ筋、高温ガスのためのチュービングセット、バーナー、弁、ディスクブレーキ、スパークプラグ、エキゾーストスクリューコネクタ、ローラ、ボルト、およびカラーのシーズおよび過度の摩耗を防ぐことを可能にする。それは、金属部品を保護およびその分解を可能にするための銅、アルミニウム、および黒鉛系組成を有し得る。例えば、それは、ウルトによって市販されている機械部品のための銅グリースおよび５０％クロム３粉末の混合物からなるＰｙｒｏｘ−Ｔｈｅｒｍｉｑｕｅ−Ｍａｔｅｒｉａｕｘによって市販されているグリーングリースであり得る。
【００６８】
本発明に従う結合システムおよび接合体は、本明細書において上で記載されている特徴のいずれかを含み得、これは単独でまたは他の特徴とのそのいずれかの技術的に可能な組み合わせに従って考えられなければならない。
【００６９】
本発明は、その限定しない例の実施形態の次の詳しい記載を読むこと、および付随する図面の図式的で部分的な図を検討することによって、より良く理解されるであろう。
【図面の簡単な説明】
【００７０】
【図１】図１は高温固体酸化物電解槽（ＳＯＥＣ）の動作原理を示す図式的な像である。
【図２】図２は従来技術に従うインターコネクトを含む高温固体酸化物電解槽（ＳＯＥＣ）の一部の図式的な分解図像を示している。
【図３】図３は、炉の構造的な原理を示しており、その上に高温において動作する高温電解（ＳＯＥＣ）または燃料セル（ＳＯＦＣ）スタックが設置される。
【図４】図４は、スタックを炉と結合するためのその使用形態における、ＳＯＥＣ／ＳＯＦＣ型固体酸化物を有するスタックのための本発明に従う結合システムの１つの例の部分的な透視図像を示している。
【図５】図５は、本発明に従う結合システムの単独の透視図像を、ねじ型ナットおよびねじ型コネクタの接合構成で示している。
【図６】図６は、本発明に従う結合システムの単独の透視図像を、ねじ型ナットおよびねじ型コネクタの分解構成で示している。
【発明を実施するための形態】
【００７１】
これらの図の全てにおいて、同一の参照記号同士は同一または類似の要素を表現し得る。
【００７２】
その上、図を読むことをより容易にするために、図に示されている異なる部品同士は必ずしも均一な縮尺に従って表示されてはいない。
【００７３】
図１から３は、本発明の従来技術および技術的背景のパラグラフにおいて本明細書において上で記載されている。図１および２において、符号、ならびに水蒸気Ｈ２Ｏの供給、二水素Ｈ２、酸素Ｏ２、空気、および電流の分配および収集を示す矢印は、示されている装置の動作を例示するために明瞭性および詳細の目的のために示されているということがここで明記される。
【００７４】
好ましくは、所与の電気化学セルの全ての構成要素部品（アノード／電解質／カソード）はセラミックであるということもまた注意すべきである。典型的には、高温ＳＯＥＣ／ＳＯＦＣ型スタックの動作温度は６００℃から１，０００℃の範囲である。
【００７５】
その上、用語「上側」および「下側」は、本明細書においては、その使用形態のときのＳＯＥＣ／ＳＯＦＣ型のスタックの通常時の向きに従って理解されなければならない。
【００７６】
図４から６は本発明に従う結合システム３０を製造するための原理を示している。この結合システム３０は、スタック２０のガスの供給および放出を可能にすることに適した炉１０とＳＯＥＣ／ＳＯＦＣ型のスタック２０との間における結合を実現する。一般的に言って、結合システム３０はボルト／ナット型である。
【００７７】
図４は、本発明に従う結合システム３０による、高温において動作するＳＯＥＣ／ＳＯＦＣ型固体酸化物を有するスタック２０とガスの供給および放出のためのスタック２０が結合される炉１０とを含む、接合体７０を示している。より具体的には、接合体７０は、スタック２０のために提供される２つの入口／出口のための４つの結合システム３０を含む。
【００７８】
図４から６に示されているように、先ず、各結合システム３０は中空のねじ型コネクタ３１を含む。このねじ型コネクタ３１はその外側表面にねじ筋Ｆ１を含み、ガス入口／出口管１２に取り付けられる。より具体的には、ねじ型コネクタ３１はこのガス入口／出口管１２にＴＩＧ型溶接によって取り付けられ、これはスタック２０のための支持平面を構成し、これはそれゆえに炉の床１１の一部を形成する。
【００７９】
その上、この例において、炉１０の床１１はガス入口／出口管１２が通り抜ける支持プレート４０を含み、ねじ型コネクタ３１はこの支持プレート４０にもまた特にＴＩＧ型溶接またはアーク溶接によって取り付けられる。
【００８０】
ねじ型コネクタ３１はガス入口／出口管１２との流体連通を確立するための開口部４１を含む。それゆえに、それはスタック２０への供給の環を形成する管１２と真っ直ぐに配置される。
【００８１】
その上、図６に示されているように、さらに、各結合システム３０は、平滑な外側表面Ｌ３とその下側の一部におけるこの平滑な外側表面Ｌ３に対して張り出したリム部６３とを有する中空の平滑コネクタ３３を含む。
【００８２】
平滑コネクタ３３は、溶接によってＳＯＥＣ／ＳＯＦＣ型固体酸化物を有するスタック２０のガス入口／出口管５２に、特にＴＩＧ型溶接によって取り付けられる。その上、平滑コネクタ３３は溶接によってスタック２０の下側終端プレート２５にもまた、特にＴＩＧ型溶接またはアーク溶接によって取り付けられる。それゆえに、図４に示されているように、スタック２０のガス入口／出口管５２は下側終端プレート２５を通り抜ける。
【００８３】
その上、平滑コネクタ３３はスタック２０のガス入口／出口管５２との流体連通を確立するための開口部４３を含む。
【００８４】
図６に示されているように、平滑コネクタ３３およびねじ型コネクタ３１は、２つのコネクタ３３および３１の間の流体連通を確立するための開口部４４、４５をそれぞれが含む。
【００８５】
さらにその上、スタック２０のガス入口／出口管５２とのその接合を可能にするために、図６に示されているように、平滑コネクタ３３の上側の一部は中ぐり７３を含む。類似に、ねじ型コネクタ３１はガス入口／出口管１２へのその取り付けのための中ぐり７１を含む。
【００８６】
その上、本発明に従うと、各結合システム３０はさらにねじ型ナット３２を含み、これはねじ型コネクタ３１と係合してボルト／ナットシステムを形成する。
【００８７】
このねじ型ナット３２は平滑コネクタ３３に対して摺動する。より具体的には、ねじ型ナット３２の内側表面は、ねじ型コネクタ３１のねじ筋Ｆ１と係合する第１のねじ型部分Ｓ１、および平滑コネクタ３３の平滑な外側表面Ｌ３において摺動接触する第２の平滑部分Ｓ２を含む。より具体的には、図６に示されているように、ねじ型ナット３２はその第１のねじ型部分Ｓ１に対して張り出したリム部６２を含む。このリム部６２は第２の平滑部分Ｓ２を含む。それゆえに、平滑コネクタ３３のリム部６３およびねじ型ナット３２のリム部６２は互いと接触し、これは平滑コネクタ３３に対するねじ型ナット３２の摺動を止める。
【００８８】
換言すると、それゆえに、平滑コネクタ３３上を摺動するように好ましくは遊びを有して搭載されたねじ型ナット３２は、平滑コネクタ３３上まで下降し、ねじ型ナット３２のリム部６２の平らな表面を介して平滑コネクタ３３のリム部６３の平らな表面と接触するであろう。それゆえに、平面−平面接触が確立される。ねじ型ナット３２は平滑コネクタ３３によって保持され、すなわちそれは分解され得ない。それゆえに、平滑コネクタ３３およびねじ型ナット３２はスタック２０の要素になる。
【００８９】
さらにその上、図６に示されているように、マイカガスケットＪ２が平滑コネクタ３３のリム部６３とねじ型ナット３２のリム部６２との間に設置され得る。このガスケットＪ２は、必要なところの接続を電気絶縁するために平面／平面接触に挿入されるマイカワッシャーに似得る。電気絶縁の必要がない場合には、かかるガスケットＪ２の存在は要求されない。
【００９０】
その上、好ましくは、ねじ型ナット３２の呼び直径はＭ２０からＭ３０の範囲である。直径が多大であるほど、締結は良好になるということに注意すべきである。しかしながら、直径の選択は利用可能な総体的な寸法に依存する。その上、選択されるねじ筋が太いほど、拡散溶接型の「コラージュ」のリスクは低くなる。直径Ｍ２０のケースにおいては、ねじ筋ピッチは２．５ｍｍであり、直径Ｍ３０のケースにおいては、ねじ筋ピッチは３．５ｍｍである。
【００９１】
有利には、分解を容易化し拡散溶接現象を防ぐために、ねじ型ナット３２の第１のねじ型部分Ｓ１およびねじ型コネクタ３１のねじ筋Ｆ１は、接続の設置および締め前に高温アンチシーズペーストによってコーティングされる。さらに、このアンチシーズペーストは接続を潤滑し、耐食特性を有する。それは、例えば熱機関ねじ筋、高温ガスのためのチュービングセット、バーナー、弁、ディスクブレーキ、スパークプラグ、エキゾーストスクリューコネクタ、ローラ、ボルト、およびカラーなどのケースにおいて、極端な温度またはいわゆる腐食性雰囲気に暴露される部品のシーズおよび過度の摩耗を防ぐ。その銅、アルミニウム、および黒鉛系組成は金属部品を保護しかつその分解を保証し得る。
【００９２】
その上、図５および６に示されているように、さらに、各結合システム３０はねじ型コネクタ３１と平滑コネクタ３３との間に設置された別のマイカガスケットＪ１を含む。マイカガスケットＪ１の厚さは好ましくは０．１から１ｍｍの範囲である。このガスケットＪ１は必要に応じてパンチによって切り出されたワッシャーの形態をとり得る。マイカは、高い電気絶縁特性と、熱、すなわち続けて９００℃、ピークでは１，０００℃への高い安定性とを有する。接合の間には、高い機械的圧縮がかけられて、ガスケットＪ１に７０から１００Ｎ／ｍの範囲である圧力を行使する。
【００９３】
さらにその上、接合の間には、マイカガスケットＪ１を設置した後のねじ型ナット３２の締めは、スタック２０の一部を形成するであろう平滑コネクタ３３が炉１０の一部を形成するであろうねじ型コネクタ３１により近づくことを引き起こして、平面的な面同士を接触させ、これらはマイカガスケットＪ１をその間にサンドイッチするであろう。同じ原理がスタック２０の入口／出口の全てにおいて適用され、その結果、４つのねじ型コネクタ３１と真っ直ぐなスタック２０の配置は、かけられる接合体の重量がすでに気密であるということをもたらす。
【００９４】
好ましくは、平滑コネクタ３３、ねじ型ナット３２、およびねじ型コネクタ３１は、特にインコネル６００型のニッケル基超合金からから作られ、および／または特に３１６Ｌステンレス鋼型のオーステナイト系ステンレス鋼から作られる。ねじ型コネクタ３１は１５から３０ｍｍの範囲の高さＨ１と２０から３０ｍｍの範囲の直径Ｄ１とを有する。その上、図６に示されているように、平滑コネクタ３３は４５から７０ｍｍの範囲の高さＨ３と３０ｍｍという最大直径Ｄ３とを有する。平滑コネクタ３３の高さＨ３は、スタック２０を設置するときにねじ型ナット３２が取り外されるために充分に多大でなければならない。Ｍ２０型のねじ型ナット３２のケースにおいては、平滑コネクタ３３の高さＨ３は例えば３０ｍｍである。Ｍ３０型のねじ型ナット３２のケースにおいては、平滑コネクタ３３の高さＨ３は例えば４０ｍｍである。
【００９５】
本発明は従来技術の解決法と比較して多くの利点を有し、それらの利点は本明細書において下で少なくとも部分的に記載される。
【００９６】
スタック２０は取り外され、１つの炉１０から別のものに移されなければならず、それゆえに「プラグ＆プレイ」型の特徴を有するので、本発明はスパナを用いて容易に接続が解除されることを可能にする。なぜなら、材料間の接触がなされていないからである。
【００９７】
その上、かかる分解操作は、炉１０におけるサイクル前に高温アンチシーズペーストによるねじ型コネクタ３１のねじ筋およびねじ型ナット３２のタップのコーティングによって容易化される。それゆえに、ガスケット表面はそれらを別のサイクルのために調えるためにサンドペーパーを用いて表面処理され得る。
【００９８】
さらにその上、気密性はねじ筋ではなくマイカガスケットＪ１にかけられる圧力によって保証され、その結果、本発明は気密性を改善するための任意の円錐ねじ筋の製造を要求しない。その上、接合体は、加圧による接合体の弾性変形による接続の適合性の結果として、ガスケットＪ１との接触表面に関する不測のアライメントおよび平行度の欠陥をなくす。
【００９９】
さらにその上、マイカガスケットＪ１およびＪ２の使用は、前記ガスケットがその場で、すなわち炉１０が位置する地理的な場において、例えば単純なパンチまたはハサミを用いることによって作製されることを可能にし、ガスケットＪ１およびＪ２の所望の寸法と必ずしも円形ではない幾何学的な形状とが得られることを可能にする。
【０１００】
本発明が実施形態の上述の例に限定されないということは言うまでもない。それには種々の改変が当業者によってなされ得る。
【図１】
2020514538.tif 000003
【図２】
2020514538.tif 000004
【図３】
2020514538.tif 000005
【図４】
2020514538.tif 000006
【図５】
2020514538.tif 000007
【図６】
2020514538.tif 000008
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
接合体（７０）であって、
−高温において動作するＳＯＥＣ／ＳＯＦＣ型固体酸化物を有するスタック（２０）、
−前記スタック（２０）を前記炉（１０）と結合するための、前記ＳＯＥＣ／ＳＯＦＣ型固体酸化物を有するスタック（２０）の高温における気密な結合のためのシステム（３０）、
を含み、
前記結合システム（３０）は、
−ガス入口／出口管（１２）に取り付けられることを意図され、ねじ型コネクタと言われ、その外側表面において少なくとも部分的にねじ型（Ｆ１）である中空コネクタ（３１）であって、前記ガス入口／出口管（１２）との流体連通を確立するための開口部（４１）を含む前記ねじ型コネクタ（３１）、
−ＳＯＥＣ／ＳＯＦＣ型固体酸化物を有する前記スタック（２０）のガス入口／出口管（５２）に取り付けられることを意図され、平滑コネクタと言われ、少なくとも部分的に平滑である外側表面（Ｌ３）を有する、中空コネクタ（３３）であって、前記スタック（２０）の前記ガス入口／出口管（５２）との流体連通を確立するための開口部（４３）を含み、前記平滑コネクタ（３３）および前記ねじ型コネクタ（３１）は互いとの流体連通を確立するための開口部（４４、４５）をそれぞれが含む、前記平滑コネクタ（３３）、
−前記ねじ型コネクタ（３１）と係合してボルト／ナットシステムを形成でき、かつ前記平滑コネクタ（３３）に対して摺動可能なねじ型ナット（３２）であって、その内側表面における前記ねじ型コネクタ（３１）の前記ねじ筋（Ｆ１）と係合する第１のねじ型部分（Ｓ１）と、前記その平滑な外側表面（Ｌ３）における前記平滑コネクタ（３３）と摺動接触する第２の平滑部分（Ｓ２）とを含む前記ねじ型ナット（３２）、
を含むことを特徴とする、
接合体（７０）。
【請求項２】
前記平滑コネクタ（３３）が、前記その平滑な外側表面（Ｌ３）に対して張り出したリム部（６３）を含み、前記ねじ型ナット（３２）が、前記その第１のねじ型部分（Ｓ１）に対して張り出しかつ前記第２の平滑部分（Ｓ２）を含むリム部（６２）を含み、前記平滑コネクタ（３３）の前記リム部（６３）および前記ねじ型ナット（３２）の前記リム部（６２）が互いと接触し、前記平滑コネクタ（３３）に対する前記ねじ型ナット（３２）の前記摺動を止めることができることとを特徴とする、
請求項１に記載の接合体。
【請求項３】
前記結合システム（３０）は、前記平滑コネクタ（３３）の前記リム部（６３）と前記ねじ型ナット（３２）の前記リム部（６２）との間に設置されたガスケット（Ｊ２）、特にマイカガスケットを含むことを特徴とする、
請求項２に記載の接合体。
【請求項４】
前記平滑コネクタ（３３）、前記ねじ型ナット（３２）、および前記ねじ型コネクタ（３１）が特にインコネル６００型のニッケル基超合金から作られ、および／または特に３１６Ｌステンレス鋼型のオーステナイト系ステンレス鋼から作られることを特徴とする、
請求項１〜３のいずれか１項に記載の接合体。
【請求項５】
前記平滑コネクタ（３３）が、ＳＯＥＣ／ＳＯＦＣ型固体酸化物を有する前記スタック（２０）のガス入口／出口管（５２）へのその取り付けのための中ぐり（７３）を含み、前記ねじ型コネクタ（３１）が、ガス入口／出口管（１２）へのその取り付けのための中ぐり（７１）を含むことを特徴とする、
請求項１〜４のいずれか１項に記載の接合体。
【請求項６】
前記結合システム（３０）は、前記ねじ型コネクタ（３１）と前記平滑コネクタ（３３）との間に設置されたガスケット（Ｊ１）、特にマイカガスケットを含むことを特徴とする、
請求項１〜５のいずれか１項に記載の接合体。
【請求項７】
前記ねじ型ナット（３２）の呼び直径がＭ２０からＭ３０の範囲であることを特徴とする、
請求項１〜６のいずれか１項に記載の接合体。
【請求項８】
前記ねじ型コネクタ（３１）が１５から３０ｍｍの範囲の高さ（Ｈ１）を有し、かつ２０から３０ｍｍの範囲の直径（Ｄ１）を有することを特徴とする、
請求項１〜７のいずれか１項に記載の接合体。
【請求項９】
前記平滑コネクタ（３３）が４５から７０ｍｍの範囲の高さ（Ｈ３）を有し、かつ３０ｍｍという最大直径（Ｄ３）を有することを特徴とする、
請求項１〜８のいずれか１項に記載の接合体。
【請求項１０】
前記ねじ型ナット（３２）の前記第１のねじ型部分（Ｓ１）および／または前記ねじ型コネクタ（３１）の前記ねじ筋（Ｆ１）が、高温に耐えることが可能なアンチシーズ剤によってコーティングされることを特徴とする、
請求項１〜９のいずれか１項に記載の接合体。
【請求項１１】
前記ガスの供給および放出のための前記スタック（２０）が結合される炉（１０）を含むことを特徴とする、
請求項１〜１０のいずれか１項に記載の接合体。
【請求項１２】
前記ねじ型コネクタ（３１）が前記炉（１０）のガス入口／出口管（１２）に特にタングステン不活性ガス（ＴＩＧ）型溶接によって溶接されることを特徴とする、
請求項１〜１１のいずれか１項に記載の接合体。
【請求項１３】
前記ねじ型コネクタ（３１）が、炉の前記床（１１）に取り付けられた支持プレート（４０）に特にタングステン不活性ガス（ＴＩＧ）型溶接および／またはアーク溶接によって溶接され、前記炉（１０）の前記ガス入口／出口管（１２）が前記支持プレート（４０）を通り抜けることを特徴とする、
請求項１〜１２のいずれか１項に記載の接合体。
【請求項１４】
前記平滑コネクタ（３３）が、ＳＯＥＣ／ＳＯＦＣ型固体酸化物を有する前記スタック（２０）のガス入口／出口管（５２）に特にタングステン不活性ガス（ＴＩＧ）型溶接によって溶接されることを特徴とする、
請求項１〜１３のいずれか１項に記載の接合体。
【請求項１５】
前記平滑コネクタ（３３）が、前記スタック（２０）の下側終端プレート（２５）に特にタングステン不活性ガス（ＴＩＧ）型溶接および／またはアーク溶接によって溶接され、前記スタック（２０）の前記ガス入口／出口管（５２）が前記下側終端プレート（２５）を通り抜けることを特徴とする、
請求項１〜１４のいずれか１項に記載の接合体。
【国際調査報告】
2020514538.tif 000009
2020514538.tif 000010
2020514538.tif 000011
2020514538.tif 000012